(57)【要約】【課題】払出体が軸受から外されても軸受が取付場所から脱落しないように取付場所に保持されるようにする。【解決手段】軸受１０が取り付けられる場合、係合突起２４が縦壁６の内側面の側に向けられ、軸受孔部１１が矢印Ｘ２で示すように収容部３の内側から取付孔９に挿入される。これによって、鍔１２が取付孔９の周りにおける縦壁６における収容部３の側に位置する内側面と対向し、係合突起２４が取付孔９から収容部３の外側に突出して逃避孔２２に配置されかつ取付孔９の周りにおける縦壁６の外側面としての段差面２３と対向し、軸受１０が取付場所としての縦壁６から脱落しないように縦壁６に保持されている。【選択図】図１
2009072322.tif 000002
【特許請求の範囲】
【請求項１】
球を貯蔵する貯蔵室と、貯蔵室の底部から下方に球を取り込むように窪む空間を形成する収容部と、収容部の相対峙する一対の縦壁の一方に設けられた挿入孔と、収容部の相対峙する一対の縦壁の他方に設けられた取付孔と、取付孔に装着された軸受と、払出軸と払出軸の軸心と平行な方向に球を１個ずつ分離する間隔で払出軸の外周面から径方向外側に螺旋形状に突出した螺旋体とからなる払出体とを備え、払出体の一端部が収容部の外側から挿入孔を経由して軸受に嵌め込まれることによって、収容部の内部に球を１個ずつ取り込む隙間が収容部と払出軸と螺旋体とで形成される遊技機の球払出装置において、軸受が取付孔に挿入される軸受孔部と軸受孔部の一端側から軸受孔部の径方向外側に突出するように設けられた鍔と軸受孔部の他端側に軸受孔部の径方向外側に突出するように設けられた突起とを備え、軸受孔部が収容部の内側または外側から取付孔に挿入されることによって、鍔が取付孔の周りにおける縦壁の内側面または外側面と対向し、突起が取付孔から収容部の外側または内側に突出して取付孔の周りにおける縦壁の外側面または内側面と対向し、軸受が取付孔の周りにおける縦壁に取り付けられたことを特徴とする遊技機の球払出装置。
【請求項２】
軸受孔部には弾性片が一端を支持された状態に設けられ、係合突起が弾性片の自由端部に設けられたことを特徴とする請求項１記載の遊技機の球払出装置。
【発明の詳細な説明】
【技術分野】
【０００１】
本発明は、払出体が軸受から外されても軸受が取付場所に適切に保持される遊技機の球払出装置に関する。
【背景技術】
【０００２】
図５および図６は、特許文献１で開示された遊技機の球払出装置を示す。先ず、図５において、タンク１には、球を貯蔵する貯蔵室２が設けられる。貯蔵室２の底部には、収容部３が貯蔵室２の底部から下方に球を取り込むように窪む空間を形成する形状に設けられる。収容部３の底部には球出口４が設けられる。収容部３の相対峙する一対の縦壁５；６の一方の縦壁５には、挿入孔７およびモータ取付部８が設けられる。収容部３の他方の縦壁６には、取付孔９が設けられる。取付孔９には、軸受１０が装着される。軸受１０は、軸受孔部１１の一端部に鍔１２を軸受孔部１１の直径方向外側に突出するように備える。払出体１３は、払出軸１４と螺旋体１５とからなる螺旋構造体として構成される。螺旋体１５は、払出軸１４の軸心１６と平行な方向に球を１個ずつ分離する間隔で払出軸１４の外周面から径方向外側に螺旋形状に突出する。払出軸１４の一端部には、軸部１７が払出軸１４よりも細い棒として設けられる。次に、図６のａ図において、払出軸１４の一端部が矢印Ｘ１で示すように収容部３の外側から挿入孔７を経由して収容部３の内部に挿入され、軸部１７が軸受１０に嵌め込まれる。これによって、図６のｂ図に示すように、収容部３の内部には、球を１個ずつ取り込む隙間が収容部３と払出軸１４と螺旋体１５とで形成される。また、図５に戻り、上記のように軸部１７が軸受１０に嵌め込まれ、払出軸１４が収容部３の内部に挿入された後、モータ１８の駆動軸１９が払出体１３の他端部に連結され、ねじ釘２０がモータ１８の取付足２１を経由してモータ取付部８に締結されることによって、モータ１８がタンク１に固定される。そして、図６のｂ図において、モータ１８が駆動し、払出体１３が払出軸１４の軸心１６を中心として軸心１６の円周方向に回転すると、払出体１３の螺旋体１５が貯蔵室２から上記隙間に取り込まれた球を１個ずつ分離しつつ収容部３の底部における球出口に移動し、当該球が球出口から下方に払い出される。しかしながら、軸受孔部１１が取付孔９に挿入され、鍔１２が取付孔９の周りの縦壁５；６の内側面に対向し、軸受１０が縦壁５；６に装着される構造であるので、例えば、修理のために、払出体１３やモータ１８をタンク１から取り外した場合、軸受１０が取付場所としての縦壁６から脱落するという欠点がある。
【特許文献１】特開２００７−１７５３１６号公報
【発明の開示】
【発明が解決しようとする課題】
【０００３】
発明が解決しようとする問題点は、払出体が軸受から取り外された場合、軸受が取付場所から脱落する可能性があるという点である。
【課題を解決するための手段】
【０００４】
本発明に係る遊技機の球払出装置は、球を貯蔵する貯蔵室と、貯蔵室の底部から下方に球を取り込むように窪む空間を形成する収容部と、収容部の相対峙する一対の縦壁の一方に設けられた挿入孔と、収容部の相対峙する一対の縦壁の他方に設けられた取付孔と、取付孔に装着された軸受と、払出軸と払出軸の軸心と平行な方向に球を１個ずつ分離する間隔で払出軸の外周面から径方向外側に螺旋形状に突出した螺旋体とからなる払出体とを備え、払出体の一端部が収容部の外側から挿入孔を経由して軸受に嵌め込まれることによって、収容部の内部に球を１個ずつ取り込む隙間が収容部と払出軸と螺旋体とで形成される遊技機の球払出装置において、軸受が取付孔に挿入される軸受孔部と軸受孔部の一端側から軸受孔部の径方向外側に突出するように設けられた鍔と軸受孔部の他端側に軸受孔部の径方向外側に突出するように設けられた係合突起とを備え、軸受孔部が収容部の内側または外側から取付孔に挿入されることによって、鍔が取付孔の周りにおける縦壁の内側面または外側面と対向し、係合突起が取付孔から収容部の外側または内側に突出して取付孔の周りにおける縦壁の外側面または内側面と対向し、軸受が取付孔の周りにおける縦壁に取り付けられたことを最も主要な特徴とする。軸受孔部には弾性片が一端を支持された状態に設けられ、係合突起が弾性片の自由端部に設けられてもよい。
【発明の効果】
【０００５】
本発明に係る遊技機の球払出装置は、鍔と係合突起とが縦壁を内側と外側とから挟むように、軸受が縦壁に取り付けられているので、修理のために、モータがタンクから取り外された後、払出体が収容部から取り外されても、軸受が取付場所たる縦壁から脱落することなく縦壁の適切に保持されるという利点がある。軸受孔部には弾性片が一端を支持された状態に設けられ、係合突起が弾性片の自由端部に設けられれば、軸受孔部が収容部の内側から取付孔に容易に挿入されるという利点がある。
【発明を実施するための最良の形態】
【０００６】
図１のａ図およびｂ図は、縦壁６と軸受１０とを分解して示す。図１のｃ図は、縦壁６と軸受１０とを分解した断面を示す。図１のｄ図は、軸受１０が縦壁に取り付けられた形態の断面を示す。図２は、遊技機の球払出装置を分解して示す。図３のａ図は、収容部３と払出体１３とを分解した断面を示す。図３のｂ図は、払出体１３が収容部３に取り付けられた形態の断面を示す。
【０００７】
図１および図２を参照し、遊技機の球払出装置における軸受１０を取り付ける部分および軸受１０について説明する。図１のａ図とｂ図および図２に示すように、取付孔９および逃避孔２２を収容部３の他方の縦壁６に設けた構造が、図５の従来例と異なる。取付孔９は、縦壁６の内側と外側との方向に貫通する孔として構成される。
【０００８】
逃避孔２２は、軸受１０の係合突起２４を逃げるものであって、縦壁６の内側面から外側面の方向にまたは外側面から内側面の方向に窪み、取付孔９に貫通する孔として構成されるが、最良の形態では、縦壁６の外側面から内側面の方向に窪み、取付孔９に貫通する孔として構成された場合を例示する。逃避孔２２と取付孔９との連接部分には、逃避孔２２の口径と取付孔９の口径との差によって段差面２３が形成される。段差面２３は、係合突起２４の対向する縦壁６の外側面として構成される。
【０００９】
軸受１０は、軸受孔部１１、鍔１２、係合突起２４を備える。軸受孔部１１は、取付孔９に挿入される筒として構成される。係合突起２４を軸受孔部１１の他端側に軸受孔部１１の径方向外側に突出するように設けた構造が、図５の従来例と異なる。
【００１０】
図１のａ図およびｂ図に示すように、軸受孔部１１に２個の弾性片２５が軸受孔部１１の直径方向で相対峙する位置に設けられた構造も図５の従来例と異なる。各弾性片２５は、軸受孔部１１の円周方向に相対峙する２本の溝２６によって軸受孔部１１に一端を支持された状態に設けられる。各溝２６は、軸受孔部１１の他端から一端側に窪みかつ軸受孔部１１の直径方向と他端側とに開口する。係合突起２４は、弾性片２５の自由端部に設けられる。弾性片２５の自由端部は、軸受孔部１１に支持された一端を中心として軸受孔部１１の直径方向に弾性変形し得る他端部である。
【００１１】
図１のｃ図に示すように、軸受１０が取り付けられる場合、係合突起２４が縦壁６の内側面の側に向けられ、軸受孔部１１が矢印Ｘ２で示すように収容部３の内側から取付孔９に挿入される。これによって、図１のｄ図に示すように、鍔１２が取付孔９の周りにおける縦壁６における収容部３の側に位置する内側面と対向し、係合突起２４が取付孔９から収容部３の外側に突出して逃避孔２２に配置されかつ取付孔９の周りにおける縦壁６の外側面としての段差面２３と対向し、軸受１０が取付場所である縦壁６から脱落することなく縦壁６に適切に保持されるという利点がある。
【００１２】
係合突起２４が弾性片２５に設けられているので、軸受孔部１１が矢印Ｘ２で示すように収容部３の内側から取付孔９に容易に挿入されるという利点がある。その理由は、軸受孔部１１が矢印Ｘ２で示すように収容部３の内側から取付孔９に容易に挿入されるのに伴い、係合突起２４が取付孔９の内側の壁面から内側に向かう圧力を受けると、弾性片２５が軸受孔部１１に支持された一端を中心として軸受孔部１１の直径方向内側に弾性変形するからである。そして、係合突起２４が取付孔９を逃避孔２２の側に越えると、弾性片２５が軸受孔部１１に支持された一端を中心として軸受孔部１１の直径方向外側に弾性変形し、係合突起２４が図１のｄ図に示すように段差面２３と対向する。
【００１３】
図３を参照し、払出軸１４が収容部３に装着される場合について説明する。図３のａ図において、払出軸１４の一端部が矢印Ｘ１で示すように収容部３の外側から挿入孔７を経由して収容部３の内部に挿入され、軸部１７が軸受１０に嵌め込まれる。これによって、図３のｂ図に示すように、収容部３の内部には、球を１個ずつ取り込む隙間が収容部３と払出軸１４と螺旋体１５とで形成される。その後、図２において、モータ１８の駆動軸１９が払出体１３の他端部に連結され、ねじ釘２０がモータ１８の取付足２１を経由してモータ取付部８に締結されることによって、モータ１８がタンク１に固定される。
【００１４】
図３のｂ図に戻り、モータ１８が駆動し、払出体１３が払出軸１４の軸心１６を中心として軸心１６の円周方向に回転すると、払出体１３の螺旋体１５が貯蔵室２から上記隙間に取り込まれた球を１個ずつ分離しつつ収容部３の底部における球出口に移動し、当該球が球出口から下方に払い出される。そして、修理のために、図３のｂ図のモータ１８がタンク１から取り外された後、図３のａ図に示すように、払出体１３が収容部３から矢印Ｘ１と逆方向に取り外されても、鍔１２と係合突起２４とが縦壁６を内側と外側とから挟み、軸受１０が縦壁６に取り付けられた形態であるので、軸受１０が取付場所たる縦壁６に脱落することなく適切に保持されるという利点がある。
【産業上の利用可能性】
【００１５】
図４は、発明を実施するための異なる形態の軸受１０を示す。図４では、軸受孔部１１
に図１の弾性片２５を設けることなく、係合突起２４が軸受孔部１１に設けられた構造が、最良の形態と異なる。
【００１６】
図１乃至図３において、逃避孔２２および段差面２３が縦壁６に設けられなくてもよい。この場合、軸受１０が縦壁６に取り付けられた場合、係合突起２４が取付孔９から縦壁６の外側に突出して縦壁６における取付孔９の周りの外側面に対向する。
【００１７】
図２および図４では、図示は省略したが、駆動軸１９の回転位置を検出する位置検出機構、駆動軸１９と払出体１３と連結する機構、モータ１８を覆うカバーなどを用いてもよい。図２および図４において、払出体１３の軸心１６が収容部３の左右方向に配置されるようにしてもよい。その場合、収容部３の左右の壁が縦壁５；６になる。軸受１０の軸受孔部１１が縦壁６の収容部３の側に位置する内側から取付孔９に挿入される場合を示したが、軸受１０の軸受孔部１１が縦壁６の外側から取付孔９に挿入される構造でもあってもよい。その場合、逃避孔２２は、縦壁６の収容部３の側に位置する内側面から外側面の方向に窪み、取付孔９に貫通する孔として構成される。
【図面の簡単な説明】
【００１８】
【図１】ａ図およびｂ図は縦壁と軸受との分解斜視図、ｃ図は縦壁と軸受との分解断面図、ｄ図は軸受が縦壁に取り付けられた断面図（最良の形態）。
【図２】遊技機の球払出装置の分解斜視図（最良の形態）。
【図３】ａ図は収容部と払出体との分解断面図、ｂ図は払出体が収容部に取り付けられた断面図（最良の形態）。
【図４】軸受の斜視図（異なる形態）。
【図５】遊技機の球払出装置の分解斜視図（従来）。
【図６】ａ図は収容部と払出体との分解断面図、ｂ図は払出体が収容部に取り付けられた断面図（従来）。
【符号の説明】
【００１９】
１はタンク、２は貯蔵室、３は収容部、４は球出口、５；６は縦壁、７は挿入孔、８はモータ取付部、９は取付孔、１０は軸受、１１は軸受孔部、１２は鍔、１３は払出体、１４は払出軸、１５は螺旋体、１６は軸心、１７は軸部、１８はモータ、１９は駆動軸、２０はねじ釘、２１は取付足、２２は逃避孔、２３は段差面、２４は係合突起、２５は弾性片、２６は溝。
【図１】
2009072322.tif 000003
【図２】
2009072322.tif 000004
【図３】
2009072322.tif 000005
【図４】
2009072322.tif 000006
【図５】
2009072322.tif 000007
【図６】
2009072322.tif 000008